(57)【特許請求の範囲】
【請求項１】
天板部の外縁部から上面外縁突部が上方に突出した構造をなして、容器の上面開口を閉塞した状態に取り付けられ、前記容器が段積みされたときに前記容器同士の横ずれを前記上面外縁突部によって規制する蓋体であって、
前記天板部に形成されて直線状に延びたヒンジ部と、前記ヒンジ部の両端から前記蓋体の外縁部まで延びかつ他の部分に比べて容易に切断可能な１対の切断線部とを備え、それら切断線部で切断されると前記蓋体のうち前記ヒンジ部と前記１対の切断線部とに囲まれかつ前記上面外縁突部を含む回動蓋が蓋本体に対して回動して、前記容器の上面開口を部分的に開閉させることが可能になる蓋体において、
前記蓋本体の前記天板部には、開状態の前記回動蓋の前記上面外縁突部を受容する天板上面凹部が形成されていることを特徴とする蓋体。
【請求項２】
前記天板上面凹部は、前記容器の内容物を取り扱うためのツールを収容するツール収容部に兼用されていることを特徴とする請求項１に記載の蓋体。
【請求項３】
前記ツールは篦であり、前記蓋体のうち前記回動蓋にて開閉される開口部の開口縁に含まれる少なくとも一部の直線部の長さが前記篦の先端横幅より大きいことを特徴とする請求項２に記載の蓋体。
【請求項４】
前記ツールは篦であり、前記ヒンジ部の長さが、前記篦の先端横幅より大きいことを特徴とする請求項２に記載の蓋体。
【請求項５】
前記天板上面凹部内に設けられ、前記回動蓋を開状態に保持する蓋保持部を備えたことを特徴とする請求項１乃至４の何れか１の請求項に記載の蓋体。
【請求項６】
請求項１乃至５の何れか１の請求項に記載の蓋体と、
前記蓋体によって上面開口を閉塞される容器とからなる蓋体付き容器において、
前記容器の下面には、外縁部に沿って形成された下面環状突条と、前記容器の下面のうち前記回動蓋の真下部分の反対側で前記ヒンジ部と略平行に延びて前記下面環状突条の２位置間を連絡する連絡突条とが備えられていることを特徴とする蓋体付き容器。
【発明の詳細な説明】
【技術分野】
【０００１】
本発明は、天板部の外縁部から上面外縁突部が上方に突出した構造をなして、容器の上面開口を閉塞した状態に取り付けられ、容器が段積みされたときに容器同士の横ずれを上面外縁突部によって規制する蓋体及びそのような蓋体と容器とからなる蓋体付き容器に関する。
【背景技術】
【０００２】
従来、この種の蓋体として、天板部に備えた薄肉構造のヒンジ部の両端から１対の切断線部を蓋体の外縁部まで延ばし、それら切断線部をカッター等で切断すると、蓋体の一部が回動蓋となって蓋本体に対して回動するものが知られている（例えば、特許文献１参照）。
【先行技術文献】
【特許文献】
【０００３】
【特許文献１】特開２００６−２７３３７５号公報（図１，図６）
【発明の概要】
【発明が解決しようとする課題】
【０００４】
しかしながら、上記した従来の蓋体では、回動蓋を開いたときに、回動蓋の上面外縁突部が蓋本体の天板部に当接して回動蓋を十分に開くことができず、開状態の回動蓋が蓋本体の天板部から大きく突出して、例えば、容器の内容物を別の小容器に移すときや、回動蓋にて開閉される開口部にツールを挿入するときに、回動蓋が小容器やツールと当接して作業が困難になるという問題が生じていた。
【０００５】
本発明は、上記事情に鑑みてなされたもので、従来より使い勝手がよい蓋体及び蓋体付き容器の提供を目的とする。
【課題を解決するための手段】
【０００６】
上記目的を達成するためになされた請求項１の発明に係る蓋体は、天板部の外縁部から上面外縁突部が上方に突出した構造をなして、容器の上面開口を閉塞した状態に取り付けられ、容器が段積みされたときに容器同士の横ずれを上面外縁突部によって規制する蓋体であって、天板部に形成されて直線状に延びたヒンジ部と、ヒンジ部の両端から蓋体の外縁部まで延びかつ他の部分に比べて容易に切断可能な１対の切断線部とを備え、それら切断線部で切断されると蓋体のうちヒンジ部と１対の切断線部とに囲まれかつ上面外縁突部を含む回動蓋が蓋本体に対して回動して、容器の上面開口を部分的に開閉させることが可能になる蓋体において、蓋本体の天板部には、開状態の回動蓋の上面外縁突部を受容する天板上面凹部が形成されているところに特徴を有する。
【０００７】
請求項２の発明は、請求項１に記載の蓋体において、天板上面凹部は、容器の内容物を取り扱うためのツールを収容するツール収容部に兼用されているところに特徴を有する。
【０００８】
請求項３の発明は、請求項２に記載の蓋体において、ツールは篦であり、蓋体のうち回動蓋にて開閉される開口部の開口縁に含まれる少なくとも一部の直線部の長さが篦の先端横幅より大きいところに特徴を有する。
【０００９】
請求項４の発明は、請求項２に記載の蓋体において、ツールは篦であり、ヒンジ部の長さが、篦の先端横幅より大きいところに特徴を有する。
【００１０】
請求項５の発明は、請求項１乃至４の何れか１の請求項に記載の蓋体において、天板上面凹部内に設けられ、回動蓋を開状態に保持する蓋保持部を備えたところに特徴を有する。
【００１１】
請求項６の発明に係る蓋体付き容器は、請求項１乃至５の何れか１の請求項に記載の蓋体と、蓋体によって上面開口を閉塞される容器とからなる蓋体付き容器において、容器の下面には、外縁部に沿って形成された下面環状突条と、容器の下面のうち回動蓋の真下部分の反対側でヒンジ部と略平行に延びて下面環状突条の２位置間を連絡する連絡突条とが備えられているところに特徴を有する。
【発明の効果】
【００１２】
請求項１の蓋体では、回動蓋を開くと、その回動蓋の上面外縁突部が、蓋本体の天板上面凹部に受容されて、従来より回動蓋を広角に開くことができると共に、開状態の回動蓋が蓋本体の天板部から突出する量を従来より抑えることができる。これにより、容器の内容物を別の容器に移す作業等において回動蓋が邪魔になり難くなる。即ち、本発明の蓋体は、従来のものより使い勝手が良くなる。
【００１３】
なお、天板上面凹部は、回動蓋を１８０度開いても回動蓋の上面外縁突部が天板上面凹部の底面と干渉しない深さであることが好ましいが、それより浅くてもよい。
【００１４】
また、天板上面凹部の底面に持手部を設けて、天板上面凹部を持手部の収容部に兼用してもよいし、請求項２の発明のように、天板上面凹部を、容器の内容物を取り扱うためのツールを収容するツール収容部に兼用してもよい。このように、天板上面凹部を他の用途に兼用すれば、蓋体の機能が増えて使い勝手がさらに良くなる。
【００１５】
請求項３の蓋体では、ツールは篦であり、蓋体のうち回動蓋にて開閉される開口部の開口縁に含まれる少なくとも一部の直線部の長さが篦の先端横幅より大きいので、容器の内容物が篦に付着した場合に、その付着した内容物を開口縁の直線部でしごいて容器内に落とし、篦から取り除くことができる。また、請求項４の発明のように開口縁の直線部がヒンジ部であれば、ヒンジ部でしごかれた内容物がヒンジ部から開口部の外側に零れても、そこは開状態の回動蓋の裏面になっているので、蓋体の外面が内容物によって汚れることが防がれる。
【００１６】
請求項５の蓋体では、天板上面凹部内の蓋保持部が回動蓋を開状態に保持するので、手で回動蓋を開状態に保持する必要がなくなり、使い勝手が良い。
【００１７】
請求項６の蓋体付き容器では、容器の下面のうち回動蓋の真下部分の反対側には、ヒンジ部と略平行に延びて下面環状突条の２位置間を連絡する連絡突条が備えられている。これにより、内容物を別の容器に移すために容器を傾ける際に、連絡突条に手を掛けことで下面環状突条に手を掛ける場合より容器の底面中央側に手を配置することができ、容器を傾ける操作が容易になる。
【００１８】
また、容器の平面形状が多角形であって容器の下面のうち回動蓋の真下部分の反対側が角部になっている場合に、連絡突条を設けないと、容器の下面に宛がった手が下面環状突条の角部で圧迫される不具合が生じ得る。また、容器の下面における角部の内側をショートカットするように下面環状突条を設けると、容器の下面の角部にかかる荷重を十分に下面環状突条で支持することができなくなる。これらに対し、本発明の連絡突条を設ければ、それら不具合を防ぐことができる。
【図面の簡単な説明】
【００１９】
【図１】本発明の一実施形態に係る蓋体及び容器の上面側斜視図
【図２】蓋体及び容器の下面側斜視図
【図３】蓋体及び容器の一部破断斜視図
【図４】蓋体及び容器の一部破断斜視図
【図５】蓋体及び容器の平面図
【図６】蓋体及び容器の側断面図
【図７】蓋体及び容器の上面側斜視図
【図８】回動蓋を開いた状態の蓋体及び容器の上面側斜視図
【図９】蓋体が蓋保持部に保持された状態の一部破断斜視図
【図１０】蓋体付き容器を積み上げた状態の斜視図
【発明を実施するための形態】
【００２０】
以下、本発明の一実施形態を図１〜図１０に基づいて説明する。図１には、本発明の「蓋体付き容器」に相当する蓋体２０が付いた容器１１が示されている。容器１１は、樹脂の成形品であって平面形状が正方形をなし、正方形の上面開口を有している。また、容器１１の下端から上端に向かうに従って縦横の開口幅が徐々に大きくなるように各側壁１２が傾斜している。
【００２１】
容器１１の外側面における上端寄り位置には、周方向全体に亘って指掛突部１４が形成されている。図３に示すように、指掛突部１４は、容器１１の外側面から水平に張り出してから下方に直角に曲がったフック形状をなしている。また、図２に示すように、容器１１の外側面と指掛突部１４との間は、複数の補強用縦リブ１４Ｌによって連絡されている。
【００２２】
図３に示すように、容器１１の外側面のうち指掛突部１４より上側部分には、下側から順番に第１〜第４の側面環状突条１５Ａ〜１５Ｄが形成されている。それら第１〜第４の側面環状突条１５Ａ〜１５Ｄは、何れも断面四角形をなして周方向全体に亘って延びている。また、第４の側面環状突条１５Ｄの上面と側壁１２の上面とが面一に配置されている。
【００２３】
図１に示すように、容器１１の周囲における４つの角部のうち相互に対角となる１対の角部には、指掛突部１４から１対の支持軸１４Ｊ，１４Ｊ（図１には、一方の支持軸１４Ｊのみが示されている。図５参照）が備えられている。それら支持軸１４Ｊ，１４Ｊは前記した対角線方向に突出し、支持軸１４Ｊ，１４Ｊに手掛ベルト１９が回動可能に取り付けられている。手掛ベルト１９は、樹脂製の成形品であって全体がＬ字型に曲がりかつ両端部が互いに平行に延びた形状をなし、それら平行に延びた両端部が支持軸１４Ｊ，１４Ｊに回動可能に連結されている。
【００２４】
図２に示すように、容器１１の底壁１３の下面には、外縁部に沿って下面環状突条１７が形成されると共に、下面環状突条１７の隣り合った直線部１７Ａ，１７Ａの端部寄り位置の間を連絡するように連絡突条１８が形成されている。なお、下面環状突条１７及び連絡突条１８の何れも、断面四角形になっている。
【００２５】
蓋体２０は、樹脂の成形品であって、図８に示すように、容器１１の上面開口より一回り小さい四角形の天板部２１の外縁部全体から上面外縁突部２２が上方に突出した構造をなしている。図３に示すように、上面外縁突部２２は、天板部２１の外縁部から外側斜め上方に起立した内側囲壁２３と、内側囲壁２３の上端部から水平外側に張り出した上面壁２４と、上面壁２４の外縁部から略鉛直下方に垂下された外嵌合壁２５と、上面壁２４の下面のうち外縁寄り位置から垂下されて外嵌合壁２５に内側から対向した内嵌合壁２６とを備えてなる。内嵌合壁２６は、内側囲壁２３と略同じ高さをなし、外嵌合壁２５は、内側囲壁２３の２．５〜３．５倍の高さをなしている。
【００２６】
なお、図６に示すように、内側囲壁２３と内嵌合壁２６との間は、複数の補強リブ２２Ｌによって連絡されている。また、図１０に示すように、蓋体２０付きの容器１１を積み上げると、下段側の容器１１の蓋体２０における内側囲壁２３の内側に、上段側の容器１１の下端部が嵌合されるようになっている。
【００２７】
上面壁２４と外嵌合壁２５との間部分は、受容溝２２Ｊになっていて、その受容溝２２Ｊ内の上側奥部にシール部材５０（例えば、Ｏリング）が受容されている。また、外嵌合壁２５の上下方向における中間位置には、外嵌合壁２５の全周に亘って薄肉切断部２５Ｓが形成され、その薄肉切断部２５Ｓによって外嵌合壁２５が薄肉切断部２５Ｓより上側の上嵌合部２５Ａと下側の下嵌合部２５Ｂとに分割されている。その薄肉切断部２５Ｓは、外嵌合壁２５の外面全周に溝を形成し、その溝の奥側に残された薄肉部分によって構成されている。さらに、薄肉切断部２５Ｓは、容器１１における第２と第３の側面環状突条１５Ｂ，１５Ｃの中間位置に配置されている。
【００２８】
上嵌合部２５Ａの内面には、第４の側面環状突条１５Ｄの下面に係止する蓋止突起２５Ｔが周方向全体に形成されている。また、下嵌合部２５Ｂの内面には、第１の側面環状突条１５Ａの下面に係合する封止突起２５Ｃが周方向全体に形成されている。封止突起２５Ｃは、上側に略水平な係止面を有する一方、下側に傾斜面を有している。これに対し、蓋止突起２５Ｔは、上下の両方に傾斜面を備えた形状になっていて、封止突起２５Ｃより突出量が小さくなっている（図３参照）。
【００２９】
蓋体２０は、容器１１に上方から押し付けられて装着される。詳細には、蓋体２０を容器１１に上方から押し付けると、封止突起２５Ｃにおける下側の傾斜面と容器１１の側壁１２の上端部との摺接により外嵌合壁２５が外側に弾性変形する。そして、シール部材５０が側壁１２の上面と受容溝２２Ｊの奥面との間で押し潰された状態になって封止突起２５Ｃが第１の側面環状突条１５Ａを乗り越え、外嵌合壁２５が弾性復帰し、蓋止突起２５Ｔにおける上側の傾斜面が第４の側面環状突条１５Ｄの下面に係止すると共に、封止突起２５Ｃにおける上側の係止面が第１の側面環状突条１５Ａの下面に係止する。これにより、蓋体２０の容器１１に対する装着が完了する。
【００３０】
また、蓋体２０が容器１１に、一度、装着されると、蓋体２０は容器１１から離脱することができなくなる。これに対し、図４に示すように、下嵌合部２５Ｂを薄肉切断部２５Ｓで上嵌合部２５Ａから切り離せば、残された上嵌合部２５Ａを僅かに外側に撓ませるだけで、蓋止突起２５Ｔと第４の側面環状突条１５Ｄとの係止が解除され、蓋体２０を容器１１から離脱させることができるようになる。
【００３１】
その下嵌合部２５Ｂを上嵌合部２５Ａから切り離す作業を容易に行えるようにするために、図１に示すように、外嵌合壁２５の一部にスリット２５Ｋが形成されている。スリット２５Ｋは、下嵌合部２５Ｂの下端寄り位置から薄肉切断部２５Ｓまで延びてから薄肉切断部２５Ｓに沿って延びたＬ字状をなしている。これにより、スリット２５Ｋにマイナスドライバー等の工具を差し込んで下嵌合部２５Ｂの一部を曲げ起こすことができ、そこから下嵌合部２５Ｂを側方に引っ張るようにして薄肉切断部２５Ｓで下嵌合部２５Ｂを上嵌合部２５Ａから切り離すことができる。
【００３２】
図５に示すように、蓋体２０の天板部２１には、１対の支持軸１４Ｊ，１４Ｊから離れた１対の角部の一方寄り位置に、薄肉状のヒンジ部２７が形成されている。ヒンジ部２７は、１対の支持軸１４Ｊ，１４Ｊから離れた１対の角部同士を結ぶ第１の対角線Ｌ１と直交しかつ、その第１の対角線Ｌ１によって２等分されている。また、ヒンジ部２７は、天板部２１上における第１の対角線Ｌ１の長さの略１／２〜２／３程度の長さになっている。さらに、ヒンジ部２７は、天板部２１の下面に溝を形成することで、その溝の奥側に薄肉状に残された部分で構成されている。
【００３３】
蓋体２０には、ヒンジ部２７の両端部から延びた薄肉状の１対の切断線部２８，２８が形成されている。各切断線部２８は、上方から見ると第１の対角線Ｌ１と平行になって、ヒンジ部２７の両端部と直交しかつヒンジ部２７の両端部から最も近い上面外縁突部２２を横切って外嵌合壁２５の下端部まで延びている。また、切断線部２８は、ヒンジ部２７とは逆に、天板部２１の上面に溝を形成することで、その溝の奥側に薄肉状に残された部分で構成されている。そして、下嵌合部２５Ｂを上嵌合部２５Ａから切り離し、蓋体２０を容器１１から離脱させた状態で１対の切断線部２８，２８をカッターにてシール部材５０と共に切断することで、蓋体２０のうち１対の切断線部２８，２８とヒンジ部２７とに囲まれた部分が回動蓋２０Ｋになって、それ以外の蓋本体２０Ｈに対して回動することができるようになる。
【００３４】
図１に示すように、蓋体２０の天板部２１には、天板上面凹部３０が段付き状に陥没した状態に形成され、そこに金属製の篦４０が受容されている。その篦４０は、図５に示すように、左右対称の台形状の板金における幅狭側の端部を折り返して持手部４１とした構造をなし、幅広側の先端縁には細かい複数の切り込みを備えている。天板上面凹部３０は、篦４０の形状に対応しかつ第１の対角線Ｌ１に対して左右対称形状をなしている。また、図６に示すように、天板部２１の上面から天板上面凹部３０の底面までの深さは、天板部２１の上面から上面外縁突部２２の上面までの高さより大きくなっている。
【００３５】
具体的には、図７に示すように、天板上面凹部３０の段差面３０Ｇは、ヒンジ部２７の近傍でヒンジ部２７と平行に延びてヒンジ部２７と略同じ長さをなしたヒンジ側直線部３０Ｂと、ヒンジ側直線部３０Ｂから両端に連続しかつヒンジ部２７から離れる側に延びた１対の半円弧部３０Ｃ，３０Ｃと、それら１対の半円弧部３０Ｃ，３０Ｃの終端からヒンジ部２７と離れる側に直線状に延びかつヒンジ部２７から離れるに従って互いに接近する１対の直線側部３０Ｄ，３０Ｄと、１対の直線側部３０Ｄ，３０Ｄの終端間を連絡する終端連絡部３０Ｅとからなる。
【００３６】
また、１対の直線側部３０Ｄ，３０Ｄにおける長手方向中間には、下端寄り位置にツール係止突起３１が形成されている。ツール係止突起３１は、直線側部３０Ｄの長手方向に延びかつ天板上面凹部３０の底面に対して篦４０を構成する板金の板厚分だけ上方に離れた位置に配置されている。
【００３７】
天板上面凹部３０の底面のうち１対の直線側部３０Ｄ，３０Ｄよりヒンジ側直線部３０Ｂ側でかつ１対の直線側部３０Ｄ，３０Ｄの延長面から第１の対角線Ｌ１側に若干ずれた位置には、１対のツール支持突起３３，３３が形成されている。ツール支持突起３３，３３は、偏平な円柱状をなしている。
【００３８】
篦４０は、以下のようにして天板上面凹部３０に収容されている。即ち、例えば、篦４０の先端部をヒンジ側直線部３０Ｂに突き当てかつ持手部４１を上にして天板上面凹部３０の底面上に篦４０を倒すと、その篦４０がツール係止突起３１，３１の間を通過して天板上面凹部３０の底面に当接し、篦４０の先端側がツール支持突起３３，３３によって持ち上げられた状態になる。その状態で、篦４０を天板上面凹部３０の底面側に押し付けて撓ませ、ヒンジ側直線部３０Ｂから離れる側にスライドさせる。これにより、篦４０の両側縁部がツール係止突起３１，３１の下方に入り込んで上方への移動が規制されると共に、篦４０の弾性力により篦４０がツール支持突起３３，３３に押し付けられて摩擦によりスライドも規制される。これにより、篦４０が蓋体２０に保持された状態になる。篦４０を取り外すには、上記とは逆の操作を行えばよい。
【００３９】
天板上面凹部３０の底面のうち１対の直線側部３０Ｄ，３０Ｄから半円弧部３０Ｃ，３０Ｃの内側にずれた位置には、それぞれ蓋保持部３２，３２が形成されている。蓋保持部３２，３２は、天板上面凹部３０の底面から直立した角柱の上端部から第１の対角線Ｌ１側に係止突起３２Ｔを突出させた構造をなしている。その係止突起３２Ｔは、図９に示すように、水平面に対して僅かに傾斜した傾斜面３２Ｖ，３２Ｗを上下に備えている。そして、回動蓋２０Ｋを開方向に回動すると、図８に示すように、回動蓋２０Ｋの上面外縁突部２２の両端部が、天板上面凹部３０のうち半円弧部３０Ｃ，３０Ｃの内側の拡張サイドスペース３０Ａ，３０Ａに受容され、その回動蓋２０Ｋの上面外縁突部２２における上面壁２４が、両蓋保持部３２，３２の上側の傾斜面３２Ｖ，３２Ｖに摺接して蓋保持部３２，３２を外側に撓ませる。そして、図６に示すように、回動蓋２０Ｋの天板部２１と蓋本体２０Ｈの天板部２１とが重なり合う位置まで回動蓋２０Ｋが回動すると、上面壁２４が係止突起３２Ｔ，３２Ｔを乗り越えて蓋保持部３２，３２が弾性復帰し、係止突起３２Ｔ，３２Ｔの下側の傾斜面３２Ｗ，３２Ｗに上面壁２４が下方から係止する。これにより、回動蓋２０Ｋが閉位置から１８０度開いた状態に保持される。
【００４０】
また、蓋保持部３２に係止した回動蓋２０Ｋを閉じる際には、天板上面凹部３０における終端連絡部３０Ｅ側から、又は、拡張サイドスペース３０Ａ側から、回動蓋２０Ｋの下に指先を突入させて回動蓋２０Ｋを引き起こせばよい。すると、係止突起３２Ｔの下側の傾斜面３２Ｗと回動蓋２０Ｋとの摺接により１対の蓋保持部３２，３２が開くように弾性変形して蓋保持部３２，３２と回動蓋２０Ｋとの係止が外れ、そのまま回動蓋２０Ｋを回動して閉じると、回動蓋２０Ｋの上面外縁突部２２における蓋止突起２５Ｔが容器１１の第４の側面環状突条１５Ｄに係止して回動蓋２０Ｋが閉状態に保持される。
【００４１】
本実施形態の蓋体２０及び容器１１の構成に関する説明は以上である。次に、それら蓋体２０及び容器１１の作用効果について説明する。容器１１にパテやボンドや塗料等の流体状の内容物が収容されている場合、その内容物を容器１１とは別の図示しない小容器に移す作業が必要になることがある。そのような場合、上述したように切断線部２８，２８を切断して回動蓋２０Ｋを蓋本体２０Ｈに対して回動可能とし、天板上面凹部３０から篦４０を取り出した状態にして回動蓋２０Ｋを開く（篦４０を天板上面凹部３０に収容した状態のまま回動蓋２０Ｋを開いてもよい）。そして、回動蓋２０Ｋを開くことで開放した開口部２０Ｚ（図８参照）を小容器に近づけるように容器１１を傾けて開口部２０Ｚから小容器に内容物を移せばよい。
【００４２】
ここで、本実施形態の蓋体２０では、回動蓋２０Ｋの上面外縁突部２２が蓋本体２０Ｈの天板上面凹部３０に受容されることで、従来より回動蓋２０Ｋが広角に開かれ、開状態の回動蓋２０Ｋが蓋本体２０Ｈの天板部２１から突出する量が抑えられるので、容器１１の内容物を小容器に移す作業等において回動蓋２０Ｋが従来より邪魔になり難くなる。しかも、蓋保持部３２，３２によって回動蓋２０Ｋが開状態に保持されるので、手で回動蓋２０Ｋを開状態に保持する必要もない。また、容器１１を傾ける際に、例えば、一方の手を手掛ベルト１９か又は蓋本体２０Ｈの上面外縁突部２２に掛ける一方、他方の手を容器１１の下面の連絡突条１８に掛けることで、下面環状突条１８に手を掛ける場合より容器１１の底面中央側に手を配置することができ、容器１１を傾ける操作が容易になる。ここで、仮に連絡突条１８が設けられていないとすると、容器１１の下面に宛がった手が下面環状突条１７の角部で圧迫される不具合が生じ得る。また、容器１１の下面の角部の内側をショートカットするように下面環状突条１７を設けると、容器１１の下面の角部にかかる荷重を十分に下面環状突条１７で支持することができなくなる。これらに対し、本実施形態では容器１１の下面に連絡突条１８を設けたので、それら不具合を解消することができる。
【００４３】
また、小容器に移した内容物は、天板上面凹部３０に収容されていた篦４０を使用して塗布対象物に塗り付けることができる。また、回動蓋２０Ｋのヒンジ部２７の長さが篦４０の先端横幅より大きいので（図５参照）、篦４０に付着した内容物をヒンジ部２７でしごいて容器１１内に落とし、篦４０から取り除くことができる。その際、ヒンジ部２７でしごかれた内容物がヒンジ部２７から開口部２０Ｚの外側に零れても、そこは開状態の回動蓋２０Ｋの裏面になっているので、蓋体２０の外面が内容物によって汚れることが防がれる。
【００４４】
このように、本実施形態の蓋体２０及び容器１１は、従来のものより使い勝手が良くなり、容器１１の内容物を移す作業や使用済みの篦４０を清掃する作業等を効率よく行うことができる。また、天板上面凹部３０が、篦４０の収容と、開状態の回動蓋２０Ｋにおける上面外縁突部２２の収容とに兼用されかつ、回動蓋２０Ｋを閉じる際及び篦４０を取り出す際の指を挿入し易くする拡張サイドスペース３０Ａ側を有することで多用途に有効利用されているので、この点においても、本実施形態の蓋体２０は使い勝手に優れる。
【００４５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４６】
（１）前記実施形態では、天板上面凹部３０は、回動蓋２０Ｋを１８０度開いても回動蓋２０Ｋの上面外縁突部２２が天板上面凹部３０の底面と干渉しない深さであったが、回動蓋２０Ｋを１８０度開く前に回動蓋２０Ｋの上面外縁突部２２が天板上面凹部３０の底面と干渉するものであってもよい。
【００４７】
（２）前記実施形態では、天板上面凹部３０を篦４０の収容部に兼用していたが、筆や取扱説明書の収容部に兼用してもよい。また、天板上面凹部３０の底面に手掛リング部を取り付けて、その手掛リング部の収容部に天板上面凹部３０を兼用してもよい。
【００４８】
（３）前記実施形態では、回動蓋２０Ｋによって開閉される開口部２０Ｚが容器１１の一角部に配置されていたが、例えば、ヒンジ部２７を蓋体２０における上面外縁突部２２の一直線部と平行に設ける等して一角部以外の位置に開口部２０Ｚを設けてもよい。
【００４９】
（４）前記実施形態の蓋体２０及び容器１１は、平面形状が正方形であったが、蓋体及び容器の平面形状は、正方形以外の四角形、四角形以外の多角形、円形、楕円形等であってもよい。
【００５０】
（５）前記実施形態の上面外縁突部２２は、蓋体２０の外縁部全体に亘って形成されているが、上面外縁突部２２は蓋体２０の外縁部に部分的に形成されているものであってもよい。
【００５１】
（６）また、前記実施形態の上面外縁突部２２は、内部に受容溝２２Ｊを備えていたが、内側に受容溝２２Ｊを備えていなくてもよい。
【符号の説明】
【００５２】
１１    容器
１２    側壁
１７    下面環状突条
１７Ａ    直線部
１８    連絡突条
２０    蓋体
２０Ｈ    蓋本体
２０Ｋ    回動蓋
２０Ｚ    開口部
２１    天板部
２２    上面外縁突部
２２Ｊ    受容溝
２７    ヒンジ部
２８    切断線部
３０    天板上面凹部
３２    蓋保持部
４０    篦（ツール）
Ｌ１    第１の対角線
【図１】
0006396111.tif 000002
【図２】
0006396111.tif 000003
【図３】
0006396111.tif 000004
【図４】
0006396111.tif 000005
【図５】
0006396111.tif 000006
【図６】
0006396111.tif 000007
【図７】
0006396111.tif 000008
【図８】
0006396111.tif 000009
【図９】
0006396111.tif 000010
【図１０】
0006396111.tif 000011